(57)【要約】【課題】ペットに穿かせたおむつの脱落やずれを確実に防止すると共に、ペットに与えるストレスを軽減することができるペット用サスペンダーを提供する。【解決手段】ペットの前脚を挿通する左右一対の脚掛け部１を平紐で設ける。各脚掛け部１に連続しペットの胸に係止する胸掛け部２を平紐で設ける。各脚掛け部１からペットの背中側に配される背中部３を平紐で設ける。脚掛け部１と胸掛け部２と背中部３とを左右一対の連結リング５で連結する。【選択図】  図１
0003224920.tif 000002
【実用新案登録請求の範囲】
【請求項１】
ペットの前脚を挿通する左右一対の脚掛け部と、脚掛け部に連結されペットの胸に係止する胸掛け部と、各脚掛け部からペットの背中側に配される背中部と、該背中部に着脱自在に連結される長さ調整自在な複数本のベルト体と、を備え、該ベルト体でおむつの背中側と腹側とを連結するように構成したペット用サスペンダーにおいて、脚掛け部と胸掛け部と背中部とを平紐にて形成すると共に、胸掛け部と背中部とを左右一対の連結リングで脚掛け部に連結したことを特徴とするペット用サスペンダー。
【請求項２】
前記平紐にて形成された前記脚掛け部にスナップボタンを設け、該スナップボタンで前記脚掛け部をループ状に形成して前記連結リングに連結するように構成した請求項１記載のペット用サスペンダー。
【請求項３】
前記平紐にて形成された前記胸掛け部と前記背中部との連結端部にスナップボタンを設け、該スナップボタンで前記平紐の接続端部を折りたたみ固定して前記連結リングに連結するように構成した請求項１又は２記載のペット用サスペンダー。
【請求項４】
前記背中部と前記ベルト体とは連結リングで連結され、前記ベルト体は、おむつの背中側に連結する背部ベルトと、おむつの腹側に連結する左右一対の腹部ベルトとで構成された請求項１乃至３いずれか記載のペット用サスペンダー。
【考案の詳細な説明】
【技術分野】
【０００１】
本考案は、犬や猫等のペットに穿かせたおむつが外れないように装着するペット用サスペンダーに関するものである。
【背景技術】
【０００２】
犬や猫等のペットでも、高齢化でぼけてしまったり、病気やけがなどで歩行が困難になったりすると、自主的なトイレの使用が困難になることから、ペット用おむつを穿かせて対応することがある。
【０００３】
例えば、特許文献１に記載のペット用おむつは、パンツ本体（おむつ）と、パンツ本体に取り付けられるサスペンダーとを備えた構成である。このサスペンダーは、使用時のおむつがずれないように装着するもので、サスペンダーの構成は、ペットの首部に掛ける首掛け部と、この首掛け部から背中側でおむつに連結する背中側部と、首掛け部から腹側でおむつに連結する腹側部とを備えたものである。
【０００４】
また、特許文献２にも、おむつとサスペンダーとから成る動物用パンツが示されている。このサスペンダーは、ペットの首に巻き付ける首輪バンドと、この首輪バンドからペットの背中側でおむつに連結する後部バンドと、腹側でおむつに連結する前部バンドとを備えたものである。
【０００５】
一方、ペット用のおむつが一般に市販されており、このおむつに装着する各種のサスペンダーも市販されている。これら市販のサスペンダーの構成においても、特許文献１、２と同様に、ペットの首に掛けるループ状の首掛け部に連結バンドを連結する構成である。特に、市販のサスペンダーには、連結バンドを背中側のみに配置し、腹側の連結バンドは使用しない構成がある。
【０００６】
ところが、いずれのサスペンダーも、首輪のようにペットの首に巻き付ける構成なので、おむつを連結するサスペンダーとして使用すると、ペットに多くのストレスを与える虞があった。
【０００７】
すなわち、ペットがおむつを穿かされると、これを嫌がって外そうとする場合がある。このとき、外そうとするおむつに加わる負荷がサスペンダーを介してペットの首部に加わることになる。そのため、首が締付けられた状態になり、ペットに多くのストレスを与えることになる。
【０００８】
しかも、特許文献１、２のようにペットの腹側にバンドを配置すると、おむつを外そうとするペットの足が、このバンドに引っかかってしまい、この足の指や爪を損傷する虞が生じるなどの危険性もある。
【０００９】
そこで当出願人は、先に、特許文献３に記載のペット用サスペンダーを提案している。このサスペンダーは、ペットの前脚を挿通する左右一対の脚掛け部を設け、この脚掛け部にペットの胸に係止する胸掛け部を連結し、これら胸掛け部と脚掛け部との境界部分に長さ調整具を装着したものである。この構成により、おむつの脱落やずれを確実に防止することができるようになった。
【先行技術文献】
【特許文献】
【００１０】
【特許文献１】特許第４４６７５１２号公報
【特許文献２】特開平９-１４０２８７号公報
【特許文献３】特許第６５３０１５３号公報
【考案の概要】
【考案が解決しようとする課題】
【００１１】
ところが、その後の研究により、特許文献３のペット用サスペンダーで使用している脚掛け部や胸掛け部の構成や連結手段などにストレスが生じる課題があることが分かった。
【００１２】
すなわち、このサスペンダーで首周りの食い込みを確実に防止していても、脚や胸に当てる部材は、ペットの動きに伴ってある程度食い込むことは避けられない。特に脚を挿入する脚掛け部は、歩くたびに負荷が加わるので、できるだけ食い込みを防止してストレスを軽減することが望まれる。
【００１３】
そこで、本考案は上述の課題を解消すべく創出されたもので、ペットに穿かせたおむつの脱落やずれを確実に防止すると共に、ペットに与えるストレスをより軽減することができるペット用サスペンダーの提供を目的とするものである。
【課題を解決するための手段】
【００１４】
上述の目的を達成すべく本考案における第１の手段は、ペットの前脚を挿通する左右一対の脚掛け部１と、脚掛け部１に連結されペットの胸に係止する胸掛け部２と、各脚掛け部１からペットの背中側に配される背中部３と、該背中部３に着脱自在に連結される長さ調整自在な複数本のベルト体４と、を備え、該ベルト体４でおむつＰの背中側と腹側とを連結するように構成したペット用サスペンダーにおいて、脚掛け部１と胸掛け部２と背中部３とを平紐にて形成すると共に、胸掛け部２と背中部３とを左右一対の連結リング５で脚掛け部１に連結したことにある。
【００１５】
本考案の第２の手段は、前記平紐にて形成された前記脚掛け部１にスナップボタンＳを設け、該スナップボタンＳで前記脚掛け部１をループ状に形成して前記連結リング５に連結するように構成したものである。
【００１６】
本考案の第３の手段は、前記平紐にて形成された前記胸掛け部２と前記背中部３との連結端部にスナップボタンＳを設け、該スナップボタンＳで前記平紐の接続端部を折りたたみ固定して前記連結リング５に連結するように構成したものである。
【００１７】
本考案の第４の手段において、前記背中部３と前記ベルト体４とは連結リング６で連結され、前記ベルト体４は、前記おむつＰの背中側に連結する背部ベルト４Ａと、前記おむつＰの腹側に連結する左右一対の腹部ベルト４Ｂとで構成される。
【考案の効果】
【００１８】
本考案の請求項１のように、ペットの前脚を挿通する左右一対の脚掛け部１と、各脚掛け部１からペットの背中側に配される背中部３と、該背中部３に着脱自在に連結される複数本のベルト体４と、を備え、該ベルト体４でおむつＰの背中側と腹側とを支持するように構成したことにより、ペットがおむつＰを取り外そうとしておむつＰに荷重を加えたとしても、この荷重はペットの左右の前脚に分散される。
【００１９】
しかも、脚掛け部１と胸掛け部２と背中部３とを平紐にて形成しているので、ペットの腕や胸に当たる部分は平紐が接し、他の丸紐やベルトなどに比べて食い込みなどの違和感を軽減することができる。さらに、連結リング５は極めてシンプルな構成なので装着時の違和感を少なくすることができる。したがって、胸掛け部２と背中部３とを左右一対の連結リング５で脚掛け部１に連結することで、装着時のストレスを軽減することが可能になった。
【００２０】
請求項２のごとく、平紐にて形成された脚掛け部１にスナップボタンＳを設け、該スナップボタンＳで脚掛け部１をループ状に形成して連結リング５に連結するように構成しているので、ペットの脚部に加わるストレスを極めて少なくすることが可能になった。
【００２１】
請求項３のように、平紐にて形成された胸掛け部２と背中部３との連結端部にスナップボタンＳを設け、該スナップボタンＳで平紐の接続端部を折りたたみ固定して連結リング５に連結するように構成しているので、胸掛け部２と背中部３とによるペットの胸部から背中に至る接触部分のストレスを軽減することができる。さらに、これらの胸掛け部２と背中部３は、連結リング５に挿通するだけで連結されるので、胸掛け部２と背中部３との連結部分に加わるストレスを軽減することが可能になった。
【００２２】
請求項４のように、平紐の背中部３とベルト体４とを連結リング６で連結したことで、ペットの肩から背中の部位に接触する背中部３とベルト体４とによるストレスを軽減することができる。さらに、ベルト体４は、おむつＰの背中側に連結する背部ベルト４Ａと、おむつＰの腹側に連結する左右一対の腹部ベルト４Ｂとで構成されるものであるから、最低３カ所のベルト体４の連結によって、おむつＰを確実に支持することが可能になる。
【００２３】
このように、本考案によると、ペットに穿かせたおむつの脱落やずれを確実に防止すると共に、ペットに与えるストレスをこれまで以上に軽減することができるなどといった当初の目的を達成した。
【図面の簡単な説明】
【００２４】
【図１】本考案の一実施例を示す斜視図である。
【図２】本考案の一実施例を示す平面図である。
【図３】本考案のスナップボタンの使用例を示す要部斜視図である。
【考案を実施するための形態】
【００２５】
本考案は、ペットに穿かせたおむつＰが外れないように、ペットとおむつＰに装着するペット用のサスペンダーである。
【００２６】
本考案サスペンダーの主要構成として、それぞれ平紐にて形成された脚掛け部１と、背中部３と、ベルト体４とを備え、該ベルト体４でおむつＰの背中側と腹側とを支持するように構成したものである（図１参照）。
【００２７】
脚掛け部１は、ペットの前脚を挿通する左右一対の部位である。更に、背中部３は、脚掛け部１の位置からペットの背中側に配される部位である（図１参照）。
【００２８】
この脚掛け部１にペットの胸に係止する胸掛け部２を設けている。これらの胸掛け部２と背中部３とは連結リング５を介して脚掛け部１に連結している（図２参照）。
【００２９】
脚掛け部１は、平紐にて形成された部位で、この脚掛け部１にスナップボタンＳを設けている（図３参照）。そして、このスナップボタンＳで脚掛け部１をループ状に形成して連結リング５に連結するように構成したものである。図示の脚掛け部１には、各２対のスナップボタンＳを設けており、ペットの脚の太さに応じて位置を使い分けることができるものである。このスナップボタンＳの数は１個でもよく、また、スナップボタンＳに代えて面ファスナーなど他の連結具の使用も可能である。
【００３０】
更に、これら左右一対の連結リング５には、脚掛け部１の他、胸掛け部２と背中部３も連結している（図２参照）。図示例では、平紐にて形成された胸掛け部２と背中部３との連結端部にもスナップボタンＳを設けている（図３参照）。そして、このスナップボタンＳで平紐の接続端部を折り重ねて固定するように構成したものである。そして、装着時に折り重なった端部側がペットに触れないようにすることで、よりストレスを軽減することができる。
【００３１】
ベルト体４は、おむつＰの背中側と腹側とを支持する部材であり、背中部３に連結した連結リング６に連結するものである（図２参照）。図示のベルト体４は、おむつＰの背中側に連結する背部ベルト４Ａと、おむつＰの腹側に連結する左右一対の腹部ベルト４Ｂとの３本で構成されている。この３本のベルト体４の一端部を連結リング６に連結し、他端部でおむつＰの背中側と腹側とを支持するものである（図１参照）。
【００３２】
また、このベルト体４も胸掛け部２や背中部３と同様に、平紐の連結端部にスナップボタンＳを設け、このスナップボタンＳで接続端部を折りたたみ固定して連結リング６に連結するように構成している（図２参照）。また、ベルト体４のおむつＰ側端部にはクリップ７を設け、このクリップ７でおむつＰを固定する。さらに、胸掛け部２、背中部３、ベルト体４を構成する各平紐状の部材に長さ調整具Ｔを備えることで、ペットのサイズに応じて使用することができる（図３参照）。
【００３３】
本考案の使用方法の一例は、予め連結リング５に、胸掛け部２及び背中部３を連結する。また、連結リング６に背中部３とベルト体４とを連結しておく。この状態で、胸掛け部２と背中部３との間にペットの頭を通した後、リング形状に形成した脚掛け部１を連結リング５に連結してペットに装着する。
【００３４】
一方、ベルト体４は先におむつＰに連結しておく。すなわち、背部ベルト４ＡをおむつＰの背中側に連結し、腹部ベルト４Ｂを腹側に連結する。そして、ベルト体４を連結したおむつＰをペットに穿かせた後で、背部ベルト４Ａと腹部ベルト４Ｂとを連結リング６連結すると本考案サスペンダーの装着が完了する（図１参照）。
【００３５】
おむつＰ使用後は、連結リング６からベルト体４を外しておむつＰを交換する。このとき、脚掛け部１や背中部３の位置はそのままにしておくことで、交換したおむつＰの再装着が容易になる。さらにサスペンダーを取り外す場合は、連結リング６から背中部３を外すことで簡単に取り外すことができる。尤も、このような使用方法は、任意に変更することが可能である。
【００３６】
尚、本考案の実施例は図示例に限定されるものではない。脚掛け部１、胸掛け部２、背中部３、ベルト体４、連結リング５、６等の形状や材質などは、本考案の要旨を変更しない範囲で自由に設計変更できるものである。
【符号の説明】
【００３７】
Ｐ  おむつ
Ｓ  スナップボタン
Ｔ  長さ調整具
１  脚掛け部
２  胸掛け部
３  背中部
４  ベルト体
４Ａ  背部ベルト
４Ｂ  腹部ベルト
５  連結リング
６  連結リング
７  クリップ
【図１】
0003224920.tif 000003
【図２】
0003224920.tif 000004
【図３】
0003224920.tif 000005